(57)【要約】【課題】本発明は入浴前後の浴槽の蓋の開け閉めの手間を省き、浴槽内の水の加温機能と湯の保温機能を改善して省エネルギーを図るとともに、平常時や非常時の飲料水タンクとしても利用できる等の多目的浴槽蓋に関するものである。【解決手段】数個の箱型水袋の表面に伸縮可能の蛇腹構造を多数設け、注水して膨らませて浴槽内の水面に浮かせ、整列して水面全面を直接覆う。また、整列して水面全面を覆った箱型水袋の底面で形成される面を凹凸状にして、湯水の対流を促進する。箱型水袋に注水された水は、毎日のように補充注水され、常に新鮮な水に更新されて確保される。箱型水袋はどんな姿勢で置いても受給水孔が上を向き使い易く、運搬もできる。【選択図】図１
2009160196.tif 000002
【特許請求の範囲】
【請求項１】
柔軟で耐熱湯材質からなる、水に浮く独立した数個の箱型水袋を設け、その中に注水して膨らませて浴槽内の水面に浮かせ、整列して水面全面を直接に覆うことを特徴とする多目的浴槽蓋。
【請求項２】
前記箱型水袋に注水して膨らませて浴槽内の水面に浮かせた時に、水面上に見える箱型水袋の天井面とこれに相対する裏側にあたる底面に、この両面の短辺に平行に伸縮可能の蛇腹構造を多数設けて、この両面を覆うことを特徴とする請求項１に記載の多目的浴槽蓋。
【請求項３】
前記箱型水袋の天井面に断熱材質を使用することを特徴とする請求項１から請求項２のいずれかに記載の多目的浴槽蓋。
【請求項４】
前記箱型水袋の８ヶ所ある頂点のうち、任意の対角線上に位置する２ヶ所の頂点部分を斜めに切断して正三角形に近い平面を設け、１ヶ所毎に大きめの径の受給水孔とその開閉蓋を設け、開閉蓋の表面に数個の径の異なる受給水孔を蓋付で設け、さらに当該平面に隣接する箱型水袋の３つの面の延長面より外側に出ないようにして開閉蓋全体を覆う保護蓋を設けることを特徴とする請求項１から請求項３のいずれかに記載の多目的浴槽蓋。
【請求項５】
前記箱型水袋の天井面と底面の４つの短辺部に複数のベルト穴を設け、これとは別に、両端部に着脱可能な接続器具と中間部にベルト伸縮具を備えた運搬用ベルトを設けて、このベルト穴に運搬用ベルトを接続して箱形水袋を運搬可能にすることを特徴とする請求項１から請求項４のいずれかに記載の多目的浴槽蓋。
【請求項６】
前記箱型水袋に注水して膨らませて浴槽内の水面に浮かせ、整列して水面全面を直接に覆ったときに、ある箱型水袋を他の箱型水袋より厚い構造にしたり、ある箱型水袋に別の箱型水袋を重ね合わせたりすることで、全ての箱型水袋の底面で形成される面に凹凸状を設けることを特徴とする請求項１から請求項５のいずれかに記載の多目的浴槽蓋。
【発明の詳細な説明】
【技術分野】
【０００１】  本発明は、入浴前後の浴槽の蓋の開け閉めの手間を省き、浴槽内の水の加温機能と湯の保温機能を改善し、浴槽内の水が少なくても湯を沸かせ、浴槽内の湯熱を利用して新たな湯を得ることができる。また、伸縮可能で折りたため、受給水作業が容易で、持ち運びできる飲料水貯蔵タンクとしても利用できる等の機能を持った多目的浴槽蓋に関する。
【背景技術】
【０００２】  従来の浴槽の蓋の材料は木製で始まり、現在では合成樹脂やアルミニウムやビニール等に加えて、断熱材或いはこれらの混合物と言った新材料も使われているが、硬いものや重いものが多いようである。形状は板状やシート状をした一枚物や、これを数枚に分割したものなど、全体として従来からのものに似た形のものが多い。使用方法は近年では直接水面に浮かべたり、開閉を機械仕掛けでおこなうものも考えられ始めたものの、今なお昔ながらの浴槽の縁の上に渡して浴槽を覆うものが多い。
【特許文献１】  実開平６−６８５８６  特開２００５−２３０１４９
【発明の開示】
【発明が解決しようとする課題】
【０００３】そのために、次のような問題点があった。即ち、
（イ）浴槽の蓋は、ほぼ一定の板状やシート状をしており、入浴時には不要なものとして蓋を開けなければならない。その上、蓋を持ち上げて短距離ではあるが置き場所に移動し仮置きする作業が伴い、大きい、重い、かさばる、硬い、濡れている、冷たい若しくは熱い等といったものを、足場が滑る悪条件下で扱う作業を強いられ、入浴後も蓋をし直さなければならない。【０００４】（ロ）浴槽の蓋には、浴槽内の水の加温と湯の保温効果が期待されてきたが、その効率についてはそれほど問題にされなかった為に、長年にわたり大きな改善が生まれにくい環境にあったようである。その影響なのか、家庭全体の３割近くの大量の水と、膨大な燃料を消費する大量熱湯生産装置としての浴槽の蓋や浴槽を含めた浴室全般について、省エネルギーや水・湯資源の有効活用などを絡めて見直す機運が少なかったように思える。【０００５】以上から導き出される課題は、以下のようになる。
（イ）入浴の都度、蓋を浴槽から取りはずして運搬、仮置きし、入浴後に再運搬、再据付するという従来からの労苦負担を無くすか、軽減する。
（ロ）従来からの蓋の機能である水の加温と湯の保温効率を改善する。
（ハ）浴槽の蓋をはじめとする浴室内の設備、装置並びにその生産物である湯熱エネルギーや水資源を有効的に、多目的に活用する。
本発明は、これらの問題点を解決するためになされたものである。
【課題を解決するための手段】
【０００６】上記の問題点を解決するために、
（イ）柔軟で耐熱湯材質からなる、水に浮く独立した数個の箱型水袋を設け、その中に注水して膨らませて浴槽内の水面に浮かせ、整列して水面全面を直接に覆う。以上を特徴とする多目的浴槽蓋。【０００７】（ロ）前記箱型水袋に注水して膨らませて浴槽内の水面に浮かせた時に、水面上に見える箱型水袋の天井面とこれに相対する裏側にあたる底面に、この両面の短辺に平行に伸縮可能の蛇腹構造を多数設けて、この両面を覆う。以上を特徴とする上記（イ）に記載の多目的浴槽蓋。【０００８】（ハ）前記箱型水袋の天井面に断熱材質を使用する。以上を特徴とする上記（イ）から（ロ）のいずれかに記載の多目的浴槽蓋。【０００９】（ニ）前記箱型水袋の８ヶ所ある頂点のうち、任意の対角線上に位置する２ヶ所の頂点部分を斜めに切断して正三角形に近い平面を設け、１ヶ所毎に大きめの径の受給水孔とその開閉蓋を設け、開閉蓋の表面に数個の径の異なる受給水孔を蓋付で設け、さらに当該平面に隣接する箱型水袋の３つの面の延長面より外側に出ないようにして開閉蓋全体を覆う保護蓋を設ける。以上を特徴とする上記（イ）から（ハ）のいずれかに記載の多目的浴槽蓋。【００１０】（ホ）前記箱型水袋の天井面と底面の４つの短辺部に複数のベルト穴を設け、これとは別に、両端部に着脱可能な接続器具と中間部にベルト伸縮具を備えた運搬用ベルトを設けて、このベルト穴に運搬用ベルトを接続して箱形水袋を運搬可能にする。以上を特徴とする上記（イ）から（ニ）のいずれかに記載の多目的浴槽蓋。【００１１】（ヘ）前記箱型水袋に注水して膨らませて浴槽内の水面に浮かせ、整列して水面全面を直接に覆ったときに、ある箱型水袋を他の箱型水袋より厚い構造にしたり、ある箱型水袋に別の箱型水袋を重ね合わせたりすることで、全ての箱型水袋の底面で形成される面に凹凸状を設ける。以上を特徴とする上記（イ）から（ホ）のいずれかに記載の多目的浴槽蓋。
【発明の効果】
【００１２】本発明は、
（イ）柔軟で耐熱湯材質からなる、水に浮く独立した数個の箱型水袋を設け、その中に注水して膨らませて浴槽内の水面に浮かせ、整列して水面全面を直接に覆う。
（ロ）箱型水袋の天井面と底面に、両面の短辺に平行に伸縮可能の蛇腹構造を多数設けて、この両面を覆う。また、箱型水袋に注水して膨らませて浴槽内の水面に浮かせ、整列して水面全面を直接に覆ったときに、ある箱型水袋を他の箱型水袋より厚い構造にしたり、ある箱型水袋に別の箱型水袋を重ね合わせたりすることで、全ての箱型水袋の底面で形成される面に凹凸状を設ける。更に、箱型水袋の天井面に断熱材質を使用する。
（ハ）箱型水袋の８ヶ所ある頂点のうち、任意の対角線上に位置する２ヶ所の頂点部分を斜めに切断して正三角形に近い平面を設け、１ヶ所毎に大きめの径の受給水孔とその開閉蓋を設け、開閉蓋の表面に数個の径の異なる受給水孔を蓋付で設け、さらに当該平面に隣接する箱型水袋の３つの面の延長面より外側に出ないようにして開閉蓋全体を覆う保護蓋を設ける。また箱型水袋の天井面と底面の４つの短辺部に、複数のベルト穴を設け、これに運搬用ベルトを接続して運搬可能とする。
本発明は、以上のように構成されており、以下のような効果が得られる。【００１３】今までの様な入浴前後の浴槽の蓋の開け閉め作業を不要とした。即ち、
（イ）入浴前には、数個の箱型水袋が水面全面に整列して浮いている状態にあるが、中に湯水が入った柔軟な箱型水袋がかろうじて浮いている状態なので、手や足が箱型水袋に少し触れるだけで沈み、移動する。従って浴槽の湯をかき回したり浴槽に入ったりお湯を汲む場合に、箱型水袋の存在を殆ど意識させない。
（ロ）入浴終了時には、箱型水袋は自然に水面に浮きあがってきて自動的に蓋の役目を担ってくれるので、浴槽から上がる直前に浴槽に入りながら目の前に浮いている箱型水袋を水面上で移動、整列するだけで済む。箱型水袋の柔軟さが整列作業をし易くする。【００１４】浴槽内の水の加温と、湯の保温効率を改善した。即ち、
（イ）柔軟材質からなり、伸縮可能の蛇腹構造を設けた箱型水袋に注水して膨らませ、浴槽内の壁や隣接する箱型水袋に密着させて水面全面を直接覆うので、浴槽の縁の上に渡して浴槽を覆うだけの従来の蓋と比較すると、外気をより完璧に遮断でき、浴槽内の湯熱を外部に逃がさない。
（ロ）蛇腹構造は箱型水袋の表面面積を大きくして、浴槽内の湯との間の熱伝導効率を高める。
（ハ）箱型水袋の天井面に使用した断熱材質は、浴槽内の湯と箱型水袋内の湯の放熱を少なくして、保温機能を高める。
（ニ）浴槽内の湯熱だけで箱型水袋内の水が温められる。その上、一旦温められると今度は箱型水袋内の湯熱が浴槽内の湯の保温機能を果たす、という相互保温効果を生む。
（ホ）数個の箱型水袋を浴槽内の水面全面に浮かせて整列する際に、箱型水袋の底面によって形成される面が凹凸状になるように、いくつかの箱型水袋を厚い構造にしたり、いくつかの箱型水袋に別の箱型水袋を重ね合わせたりして、湯の対流を左右や下方向にも変化させて、浴槽内の水を早く温めるので、蓋として使用している箱型水袋内の水が温まる時間も短縮するとともに、重ね合わせた別の箱型水袋内の水が温まる時間も短縮する。【００１５】浴槽の蓋をはじめとする浴室内の設備や装置、並びにその生産物である湯熱エネルギーや水資源を有効的に多目的に活用できるようにした。即ち
（イ）箱型水袋に注水して膨らませて浴槽内に入れると、浴槽内の水が少なくても水位が上昇し、風呂釜に直結する給湯口の高さに到達し、少ない水でも沸かすことができるようになる。水が少ない分、少ないエネルギーで早く湯を沸かすことができ、同時に、早く沸いた浴槽内の湯熱により箱型水袋内の水も早く温められる。
（ロ）箱型水袋は数個に分けられ、且つ運搬道具を備えたので、用途に応じた大きさのものを平常時でも車の中や各種屋外活動等で水筒代わりに利用でき、非常時には飲料水などの貯水タンクにも兼用できる。箱型水袋は柔軟材質で蛇腹構造なので、中身の減少に合わせて貯水タンク自体を小さくでき、空になれば小さく折りたたんで収納できるので、従来のポリタンク等のように収納場所を常時占領しない。
（ハ）箱型水袋内の湯は浴槽の湯に補充したり、上がり湯として使用でき、使用後は入浴しながら水遊び感覚で浴槽の蛇口で水を補充でき、再び浴槽に浮かせば再加温できる。これは非常用飲料水になる貯水タンクの水が入浴行動のなかで無意識のうちに毎日のように常に新鮮な水に更新されて確保されることを意味する。
（ニ）箱型水袋は、床がコンクリートで固められて多くの柱に囲まれた、家の中でも特に頑丈な構造の浴室の中にあって、浴槽内の水の中という極めて安全な場所に保管される非常用飲料水貯蔵タンクを兼ねる。
（ホ）箱型水袋はどの面を底にして置いても突起物がないのでガタつかない。また、２個備わっている保護蓋のうちの１つが常に上を向いて、多種類の受給水孔により、使用目的や使用量に応じて受給水孔を使い分けができ、受給水作業が効率よく衛生的にでき、節水もできる。
（ヘ）入浴中の箱型水袋は多様な入浴スタイルに利用でき、沈ませて足置きや肘掛にしたり、椅子代わりにして半身浴に利用等できる。また、箱型水袋内の湯を水に代えれば水枕に利用できる。
（ト）入浴中はできるだけ箱型水袋を浴槽内に残すようにすれば、入浴中でも浴槽の蓋をした状態となり、保温機能が維持できる。この場合、頭部だけを開けて、頭を水面上に出せばサウナ感覚の入浴が楽しめる。
（チ）温水が入った箱型水袋を洗い場にマットとして敷いたり、腰掛として使用すれば、寒いときでも快適に体を洗える。
（リ）注水して膨らませた箱型水袋の蛇腹構造を利用して、入浴者の体の各部にあてて按摩やマッサージができる。また、箱型水袋を空にして折りたためば入浴者の手に持ってもできるし、浴槽や浴室などの壁や床に直接置いて踏んだり押したりすれば足裏等の按摩やマッサージができる。
（ヌ）箱型水袋の上はタオル、眼鏡、子供用のおもちゃなどの物置場にも使える。
（ル）箱型水袋に運搬用ベルトをセットして浴室の壁などに引っ掛けて、少しだけ吊り上げると、箱型水袋の自重により締め付けられて圧力がかかり、内部のお湯を勢いよく噴出し、シャワーとして利用できる。
（ヲ）従来の蓋は使用すれば汚れるので掃除の必要があるが、箱型水袋の掃除は殆ど不要である。
【発明を実施するための最良の形態】
【００１６】以下、本発明の実施の形態について説明する。【００１７】（イ）図１、図５の通り、柔軟かつ耐熱湯材質からなる、水に浮く独立した箱型水袋１を天井面１２の面積によって３つの大きさに分けて設ける。
（Ａ）一番小さな箱型水袋小型２を２個設け、それぞれ箱型水袋小型Ａ３と箱型水袋小型Ｂ４と呼ぶ。
（Ｂ）中くらいの大きさの箱型水袋中型５を２個設け、それぞれ箱型水袋中型Ａ６と箱型水袋中型Ｂ７と呼ぶ。
（Ｃ）一番大きな箱型水袋大型８を１個設ける。箱型水袋小型２、箱型水袋中型５、箱型水袋大型８の厚さは同一とし、浴槽に入る時や入浴中に入浴者の快適さに支障しない厚さを目途とする一方で、貯水タンクとしても十分利用できる程度の厚さを確保する。
（Ｄ）この他に箱型水袋小型厚型９を１個設け、合計では６個設ける。箱型水袋小型厚型９の厚さは箱型水袋小型２の２倍程度とするが、厚さ以外のサイズや構造や材質などは箱型水袋小型２と一切同じである。
（ロ）図１、図５の通り、箱型水袋大型８は長方形をなし、その長辺は浴槽１０の内壁の短辺と同じ長さとし、その短辺は浴槽１０の内壁の長辺の１／３の長さとする。従って、箱型水袋大型８に注水して膨らませて、浴槽１０の水面１１上にその長辺を浴槽１０の短辺に平行にして３枚整列すると水面１１全面を覆うことができる。箱型水袋大型８は、注水して膨らませた時に大人が持ち運び可能の大きさを目途とする。
（ハ）図１、図５の通り、箱型水袋大型８の長辺を１：２の比率で分割したものを各々箱型水袋小型２と箱型水袋中型５とする。すなわち箱型水袋小型２、箱型水袋中型５、箱型水袋大型８の大きさの比率は１：２：３である。従って箱型水袋小型２を２個、箱型水袋中型５を２個、箱型水袋大型８を１個合わせた天井面１２の面積の合計は、水面１１の面積と同じである。
（ニ）箱型水袋１の大きさや形や個数や整列方法等は、浴槽１０の大きさや形に応じて変化するとともに、使用者が箱型水袋１に求める主たる機能、即ち、蓋としての加温と保温機能、湯熱利用の湯沸し機能、非常用飲料水貯蔵タンク機能、運搬携帯機能、折りたたみ収納機能等々に応じても自由に変化する。【００１８】（イ）図１、図２、図５の通り、箱型水袋小型２、箱型水袋小型厚型９、箱型水袋中型５、箱型水袋大型８の天井面１２と底面１３に、両面の短辺に平行になる伸縮可能の蛇腹構造１４を多数設けて両面を覆う。また、天井面１２には断熱材質１５を使用する。【００１９】（イ）図３、図４の通り、箱型水袋１の８ヶ所ある頂点のうち任意の対角線上に位置する２ヶ所の頂点部分を斜めに切断して正三角形に近い２つの平面である三角平面Ａ１６と三角平面Ｂ１７を設け、１ヶ所毎に大きめの径の受給水孔特大１８とその開閉蓋１９を設け、開閉蓋１９の表面には３個の径の異なる受給水孔大２０、受給水孔中２１、受給水孔小２２を各々蓋付で設け、さらに開閉蓋１９全体を覆う、保護蓋２３を設ける。保護蓋２３は、当該平面に隣接する３つの面の延長面Ａ２４、延長面Ｂ２５、延長面Ｃ２６の各面より外側に出ないようにする。受給水孔大２０の径を、普通の水道水栓と同程度の径とする。
（ロ）図１１の通り、箱型水袋１の天井面１２と底面１３の４つの短辺である辺Ａ２７、辺Ｂ２８、辺Ｃ２９、辺Ｄ３０に、運搬用ベルトＡ３１と運搬用ベルトＢ３２を取り付けるためにそれぞれ２個づつ、合計８個のベルト穴Ａ３３からベルト穴Ｈ４０を設ける。運搬用ベルトＡ３１の両端には着脱可能な接続器具であるフックＡ４１とフックＢ４２を設け、中間部には運搬用ベルトの長さを調整する、普通のベルト伸縮具Ａ４５を設け、運搬用ベルトＢ３２にも同様にフックＣ４３とフックＤ４４とベルト伸縮具Ｂ４６を設ける。又、手で持って運搬するときに、取っ手になりうる丈夫な普通の棒を１本、取っ手用棒４７として別に設ける。
本発明は以上のような構成で、これを使用するときは、【００２０】（イ）図１、図５の通り、浴槽１０は長方形をなし、一方の短辺の壁面には風呂釜に直結する給湯口４８が設けられ、ここから熱湯が出て浴槽１０に対流が生じる。浴槽１０の水の加温を促進するためには、水面全面をできるだけ隙間無く覆って外気を遮断して熱を逃がさず、且つ給湯口４８からの熱湯を早く遠く、左右や下方向にも対流させて攪拌を促して熱エネルギーを無駄無く利用しなければならない。このために図６、図７の通り、先ず浴槽に給湯口４８の上に充分達するまで注水する。
（ロ）図２の通りの構造の箱型水袋小型Ａ３と箱型水袋小型Ｂ４、箱型水袋中型Ａ６と箱型水袋中型Ｂ７、箱型水袋大型８、並びにこれらの箱型水袋１に比して厚さのみを２倍程度とした箱型水袋小型厚型９を各々１個、合計６個に注水して膨らませてから、下記の手順で図１、図５の通り、整列する。
（Ａ）箱型水袋大型８を１個、浴槽１０の水面１１に浮かせ、浴槽の給湯口４８が設けられた短辺の壁面にその長辺を平行に密着させて整列する。
（Ｂ）次に、前記（Ａ）の箱型水袋大型８に隣接した水面１１に箱型水袋中型Ａ６と箱型水袋小型厚型９を各１個浮かせて整列する。この時に、特に箱型水袋小型厚型９の向きに注意して、この２個で全体として前記（Ａ）の箱型水袋大型８と同じ大きさの形になるように整列する。
（Ｃ）最後に、残りの１／３の水面１１に箱型水袋中型Ｂ７と箱型水袋小型Ｂ４を各１個浮かせて整列するが、箱型水袋小型Ｂ４の下に箱型水袋小型Ａ３を１個、お互いの蛇腹構造１４を噛み合わせて重ねる。この箱型水袋小型Ｂ４と前記（Ｂ）の箱型水袋小型厚型９は隣り合わないように離して整列する。この時に、特に箱型水袋小型Ｂ４の向きに注意して、この２個で全体として前記（Ａ）の箱型水袋大型８と同じ大きさの形になるように整列する。
（ハ）これにより図１、図５、図６、図７の通りに水面１１全面がほぼ隙間なく覆われる。そして整列された合計６個の箱型水袋１の底面１３で形成される面には図６、図７、図８の通りの凹凸状ができ、これにより図９、図１０のように湯の対流に変化が生じて加温が促進される。この状態で風呂釜のスイッチを入れる。
（ニ）箱型水袋１に注水し浴槽１０内に整列するときに、箱型水袋１を大きめに、即ち注水量を少し多目にして膨らませると箱型水袋１の柔軟な材質と注水された水と蛇腹構造１４により、水面１１全面をほぼ隙間なく覆って外気を遮断することができる。膨らませすぎて整列できなければ水を少し放出することで調整できる。逆に注水量が不足して隙間が生じる場合は、箱型水袋１の蛇腹構造１４を少し引っ張って伸ばすか追加注水する。
（ホ）注水作業は入浴しながら水遊び感覚で浴槽の蛇口でおこない、注水後は箱型水袋１をそのまま浴槽１０に浮かすだけで中の水が温められて、後からの入浴者がこの湯を使えるようになる。この作業が繰り返され、その日の最後の入浴者が注水して膨らませて整列させた箱型水袋１が、翌日に風呂釜のスイッチをいれる時の浴槽１０の蓋になる。【００２１】（イ）図３の通り、箱型水袋１に注水する時には開閉蓋１９を開ければ大きな受給水孔特大１８が設けられているので容易にでき、この大きさは非常時に受給水する時にも有効である。また、開閉蓋１９の表面には、水道の径並みの孔と、それ以下の径の２つの孔の合計３種類の径からなる蓋付の受給水孔大２０、受給水孔中２１、受給水孔小２２を設けることで、給水する時に開閉蓋１９をいちいち開ける必要がなく、用途に応じてこの３つの孔を使い分けができるので衛生的で、かつ節水もできる。また、柔軟構造の箱型水袋１を少し押すと水が出るので、平常時の振動する車の中や野外活動や、非常時での使用には３種類の孔のいづれかにホースを取り付ければ、いちいち箱型水袋１を傾ける必要がなく給水できる。
（ロ）図４の通り、受給水孔特大１８が設置された三角平面Ａ１６に隣接する３つの面の延長面Ａ２４、延長面Ｂ２５、延長面Ｃ２６の各面より外側に出ないように受給水孔特大１８の上部に、保護蓋２３を設けるので、箱型水袋１のどの面を底にして置いてもガタつかない。且つ図２の通り、２個の保護蓋２３のうちの１個はどの面を底にして置いても、常に上を向く構造なので、受給水作業が容易にできる。
（ハ）図３の通り、保護蓋２３により開閉蓋１９全体が保護されているので安全、衛生的である。【００２２】（イ）図２、図１１の通り、柔軟材質からなり、中に水が入った箱型水袋１を運搬するには、縦長にして蛇腹構造１４を水平に設けると持ち易い。その為に、蛇腹構造１４を天井面１２と底面１３の短辺に平行になるように設けてある。従って、運搬を主目的としない使用方法を希望する場合には蛇腹構造１４は、箱型水袋１の両面上で自由に設けられるが、両面以外のすべての側面は、浴槽の蓋として浴槽内の壁や、隣接する箱型水袋に密着させるために蛇腹構造１４は邪魔になるので設けない。
（ロ）辺Ａ２７と辺Ｂ２８を下部とし、辺Ｃ２９と辺Ｄ３０を上部として運搬する場合、運搬用ベルトＡ３１のフックＡ４１を辺Ａ２７のベルト穴Ａ３３に引っ掛け、フックＢ４２を辺Ｃ２９のベルト穴Ｅ３７と辺Ｄ３０のベルト穴Ｇ３９に通してから辺Ｂ２８のベルト穴Ｃ３５に引っ掛ける。もう１本の運搬用ベルトＢ３２も同様にフックＣ４３を辺Ａ２７のベルト穴Ｂ３４に引っ掛け、フックＤ４４を辺Ｃ２９のベルト穴Ｆ３８と、辺Ｄ３０のベルト穴Ｈ４０に通してから辺Ｂ２８のベルト穴Ｄ３６に引っ掛ける。なおこの逆に、辺Ｃ２９と辺Ｄ３０を下部とし、辺Ａ２７と辺Ｂ２８を上部としても、全く同じにできる。
（ハ）前記（ロ）のように取り付けた運搬用ベルトＡ３１と運搬用ベルトＢ３２を用いて運搬する場合は、下記のように多様にできる。
（Ａ）図１１の通り、運搬用ベルトＡ３１の長さをベルト伸縮具Ａ４５で調整して、辺Ｃ２９と辺Ｄ３０の上で取っ手用棒４７の片方の端の上に添えるか、巻きつける。同様に運搬用ベルトＢ３２も、長さをベルト伸縮具Ｂ４６で調整して、辺Ｃ２９と辺Ｄ３０の上で取っ手用棒４７のもう一方の端の上に添えるか、巻きつける。これで取っ手用棒４７を持てば、カバンのように手で運べる。
（Ｂ）図１２の通り、辺Ｃ２９と辺Ｄ３０の上部で両ベルトを絡ませる形４９である。取っ手用棒４７を用いなくても、辺Ｃ２９と辺Ｄ３０の上部で両ベルトを手で持つことができ、この状態で両ベルトを長く伸ばせば、肩掛けカバンのようにも使用できる。
（Ｃ）図１２の通り、両ベルトを長く伸ばして、両ベルトで背負子のように背負う形５０である。リュックサックのように背中に背負って運べる。
（ニ）前記（ハ）と異なる運搬用ベルトＡ３１と運搬用ベルトＢ３２の用い方は下記のようにできる。
（Ａ）図１２の通り、両ベルトを箱型水袋１の両側面に分ける形５１である。この状態では取っ手用棒４７を用いなくても辺Ｃ２９と辺Ｄ３０の上部で両ベルトを手で持つことができ、この状態で両ベルトを長く伸ばせば、肩掛けカバンのようにも使用できる。
（Ｂ）図１２の通り、辺Ｃ２９と辺Ｄ３０の上部で両ベルトを十字に交差する形５２である。取っ手用棒４７を用いなくても、辺Ｃ２９と辺Ｄ３０の上部で両ベルトの交差部を手で持つことができ、この状態で両ベルトを長く伸ばせば、肩掛けカバンのようにも使用できる。
（ホ）運搬用ベルトＡ３１と運搬用ベルトＢ３２は浴槽１０の蓋として使用する時は外しておくが、箱型水袋１に取り付けて、浴室内の壁等に引っ掛けて吊り上げると、箱型水袋１が自重により締め付けられて圧力がかかり、内部のお湯を勢いよく噴出し、シャワーなどに利用できる。【００２３】箱型水袋１の利用方法や効果については、前記の「発明の効果」欄に詳しく述べたとおりである。
以上が、本発明を実施するための最良の第一の形態である。
次に、本発明を実施するための最良の第一の形態の応用、改良、変化の案や例を以下に述べる。【００２４】１、箱型水袋１の蛇腹構造１４に関する応用、改良、変化の案や例である。
（イ）蛇腹構造１４を、箱型水袋１の天井面１２と底面１３の両平面だけでなく、箱型水袋１の長辺の両側面にも設けて箱型水袋１をぐるりと一周する。この場合、両平面と両側面が接する辺は直角ではなく若干、曲線を形成すると肌触りも良く、蓋としても隙間なく整列でき、運搬可能な貯水タンクとして使う場合や、マッサージなどを行う場合にも使い易い。
（ロ）蛇腹構造１４の凸部の先端にマッサージや按摩を目的とした凹凸を多数、固定若しくは着脱可能に設けることで、箱型水袋１に注水してあっても、中の湯水を抜いた後でも、マッサージや按摩が効果的にできる。
（ハ）なお、箱型水袋１に蛇腹構造１４を一切設けずに、平面のままで使用しても一定の加温や保温効果は得られる。この場合にはマッサージや按摩のための凹凸は、別に用意したシート状の上に設け、そのシートを必要に応じて箱型水袋１の天井面１２などに貼り付けて使用する。
これにより、本発明の実施するための最良の第一の形態と同様の作用効果が得られる。【００２５】２、箱型水袋１の個数に関する応用、改良、変化の案や例である。
（イ）箱型水袋１を１個に変更した場合、大きく重すぎて運搬には適さないという問題が生じるものの、反面では、箱型水袋１への受給水作業が１回だけで済み、一度に多量の湯が湯熱で得られ、蓋として整列する必要がないので水面上に隙間が生じない分、蓋としての機能に優れる等の利便性を有するので、運搬可能な水筒代わりに使用することを目的とせずに、蓋機能と湯の確保と非常用飲料水確保を重視する場合には有効である。この場合には、入浴する際や入浴中にこの１枚の蓋が邪魔になるので、折り曲げたり、折りたたんで、吸盤などで足部や尻部や体側部の浴槽内壁に固定するなどの対策を講じる。
（ロ）前記（イ）の逆に箱型水袋１をソフトボール並みの小型にし、形状は円球形やサイコロ形などとし、断熱材質を中に入れるか素材に混入し、常時浴槽内に浮遊させて水面を覆う。これらの浮遊物の表面には人間の体や浴槽内壁を洗える仕組み、即ち凹凸をつけたり、スポンジ状で覆ったり、ブラシ状等を設ける。この場合は、蓋としての機能はある程度は得られるが、湯を確保したり飲料水確保には適さない。
（ハ）前記（イ）（ロ）の場合には、運搬可能な箱型水袋１を別に設けて浴槽に沈めておくか、浴槽外に保管する。
これにより、本発明の実施するための最良の第一の形態と同様の作用効果が得られる。【００２６】３、浴槽１０の湯熱エネルギーの有効利用に関する応用、改良、変化の案や例である。
（イ）箱型水袋１を浴槽１０に入れて水位を上昇させて給湯口４８の高さに達すれば湯を沸かすことができる。この場合には水が少ししかないので早く沸き、同時に箱型水袋１内の水も早く加温されてその湯を浴槽に補充すれば入浴もできる。これを、より効果的に実行するために、浴槽１０の蓋機能は他の箱型水袋１に任せ、少ない水で水位を上昇させ、湯の対流を促進して早く沸かし、箱型水袋１内の水も早く加温させることを主目的として、はじめから浴槽１０の底に沈ませておくか吸盤などで固定する箱型水袋１を別に設けておく。これにより、少しの水でも給湯口４８の水位に達するので、燃料の火を弱くして、長時間かけてゆっくりと沸かせばエネルギーが削減でき、ついでに蓋としての箱型水袋１内の水も、底に沈ませた箱型水袋１内の水も浴槽内の水と同時に温められ、両方の箱型水袋１内の湯を浴槽に補充すれば十分入浴できる。
（ロ）図６、図７、図８の通り、水面全面を覆う６個の箱型水袋１の底面１３で形成される面を凹凸状にして、図９、図１０の通り、浴槽１０の水と湯の対流を左右や下方向に変化させて、浴槽１０内の水と、蓋としての箱型水袋１内の水を温める時間を短縮するとともに、重ね合わせた別の箱型水袋１内の水も温めるが、この対流の変化をより効果的にするために、
（Ａ）重ね合わせる箱型水袋１と、浴槽の蓋として浮かせてある箱型水袋１の双方にはベルト穴Ａ３３からベルト穴Ｈ４０が設けてあるので、これを活用して、重ね合わせる箱型水袋１のベルト穴を１箇所だけ、支点にしてブラリと吊り下げると、対流により揺れ動いて対流に面する角度が変化して対流を変化できる。吊り下げる方向や角度等は、他の箱型水袋１の関係を鑑みて効果的な対流が可能になるようにして設ける。
（Ｂ）浴槽１０の蓋として浮かせてある箱型水袋１の整列に関係なく、大きさも、重ねる場所も、重ねる向きも、重ねる枚数等も自由に組み合わせると、対流も変化する。
（Ｃ）浴槽１０内の水や湯の攪拌を、早く遠く左右や下方向に促進するために湯熱等を利用した簡単な動力による攪拌装置を浴槽内に設ける。
（ハ）浴槽内の湯熱エネルギーだけで箱型水袋１内の水を温めることを主目的とする場合は、蓋や重ねたり沈めて使用する箱型水袋１の他に、浴槽の内壁に沿って、底面や側面に大型の箱型水袋１を吸盤などで貼り付けたり、あるいは底面と側面の両面を覆う断面が凹型の箱型水袋１等を設ければ、大量の湯が得られる。
（ニ）なお、蓋として整列した箱型水袋１の底面１３で形成される面に凹凸状を設けず平面のままで使用しても一定の加温や保温効果は得られる。これにより、本発明の実施するための最良の第一の形態と同様の作用効果が得られる。【００２７】４、非常用の貯水タンクに関する応用、改良、変化の案や例である。
（イ）普通の非常用貯水タンクに蓄えられた水は、場所を占領し、定期的に水交換しなければならないのが煩わしく、これを解決するのが本発明の箱型水袋１を用いた多目的浴槽蓋であるが、更により多くの良質の非常用飲料水を継続して確保する方法は、多目的浴槽蓋用の箱型水袋１を２セット用意し、１セットは最良の第一の形態のように多目的浴槽蓋として使用し、もう１セットは非常用飲料水備蓄用として注水して浴室内部に保管する。単に貯水タンクだけなら大きい方が良いが、それでは定期的な水交換が必要で煩わしく、しかも運搬できず、場所も占領する欠点があるが、この２セットの方法だと、定期的に２つのセットを交換すれば非常用飲料水確保機能、即ち、自然な水交換と安全な保管が維持可能で、いざというときに運搬でき、保管場所も多く占領しない。
（ロ）浴室にはもともと浴槽１０があり、大抵の家庭には残り湯がある。これは非常時には体を拭いたり、洗濯、トイレ、拭き掃除などに十分に活用できるので、浴槽１０内の水は常に満たしておく。満たしておく水は残り湯でもよいし、残り湯を一旦排水して新しい水を注水したものは、飲み水としても可能となるのでより良い。いずれにせよ、これは今すぐにでも実施できることなので、この貯水方法を各家庭で習慣づける。
（ハ）ホーロー仕上げなどでは浴槽１０本体の内部が空間になっているものがあるので、ここも貯水槽として活用する。現在空洞になっている浴槽１０本体の内部を衛生的に水が保存できるように加工する。また、この方法では、浴槽１０内の水の加温過程と湯の保温過程において、この保存水も自動的に加温、保温されて活用できるという、更なるメリットを併せ持つので、浴槽の設計段階から貯水や加温、保温機能も考慮して進める。
これにより、本発明の実施するための最良の第一の形態と同様の作用効果が得られる。【００２８】５、箱型水袋１の運搬に関する応用、改良、変化の案や例である。
図１３の通り、運搬用受け皿５３を設けて、これに４つの運搬用受け皿金具Ａ５４から運搬用受け皿金具Ｄ５７を設け、箱型水袋１の底部である辺Ａ２７と辺Ｂ２８を包み込む。運搬用受け皿５３を、運搬用ベルトＡ３１と運搬用ベルトＢ３２を用いて箱型水袋１に取り付ける方法は図１３、図１１の通りである。こうすることで箱型水袋大型８のような大型重量物も安定して運搬できる。
これにより、本発明の実施するための最良の第一の形態と同様の作用効果が得られる。【００２９】６、箱型水袋１の内部の湯を勢いよく噴出する応用、改良、変化の案や例である。
箱型水袋１をゴム、バネなどで締め付けたり、あるいは他の箱型水袋１等の重量物を上に乗せて圧力をかけたり、入浴者の体で圧力をかける等により締め付けて、シャワーなどに利用する。
これにより、本発明の実施するための最良の第一の形態と同様の作用効果が得られる。【００３０】７、箱型水袋１の使い道に関する応用、改良、変化の案や例である。
（イ）浴槽１０の湯の浄化や、癒し系の芳香剤や温泉成分剤等の供給を目的とする特別の箱型水袋１を設ける。
（Ａ）箱型水袋１内や、その表面若しくはその周辺に、使い捨てのろ過紙のようなろ過物質を設けて、浴槽内の対流運動を利用して湯を浄化する。
（Ｂ）箱型水袋１の中に芳香剤や温泉成分を収納して、必要に応じて散布できるようにする。これらの材質や成分を箱型水袋１の材質の中などに混入して箱型水袋１が温まるにつれて、成分がにじみ出るという使い道も可能である。
（ロ）箱型水袋１のうち小型のものは、お湯を入れて湯たんぽなどに利用できる。この場合、蛇腹構造１４は利用者の好みに応じて取り外す。
（ハ）前記（ロ）の通り、箱型水袋１は湯たんぽにもできる容器であり、その暖房機能により、浴室内は冬でも暖かい。
（ニ）箱型水袋１の中身を空にして、空気を入れて蓋をすれば浮き袋となり、浴槽の中や外で、椅子として利用できるなど入浴スタイルに変化ができる。
これにより、本発明の実施するための最良の第一の形態と同様の作用効果が得られる。【００３１】８、箱型水袋１の天井面１２をはじめとする、各面の利用方法に関する応用、改良、変化の案や例である。
（イ）箱型水袋１の各面に、蓋としての箱型水袋１の整列番号、大人が癒される絵や写真や色、また、幼児や子供用の絵や文字や数字ならびにゲームなどを描いたり、着脱式のシート等で設ける。
（ロ）入浴者が、目視するだけで湯の温度を容易に理解できる、例えば温度で変化する色シートなどを設ける。
（ハ）健康のために長時間入浴を避けるために、入浴時間が測れる装置を備え、例えば血圧状態で入浴時間を設定したり警報機能を備えることができる。
これにより、本発明の実施するための最良の第一の形態と同様の作用効果が得られる。
【産業上の利用可能性】
【００３２】本発明は、浴槽や浴槽蓋や貯水タンクを製造する産業等で利用される。
【図面の簡単な説明】
【００３３】
【図１】箱型水袋の整列例と浴槽の分解斜視図
【図２】箱型水袋の斜視図
【図３】受給水孔、開閉蓋、保護蓋の分解斜視図
【図４】保護蓋と隣接する３つの面の関係図
【図５】箱型水袋の整列例を浴槽の上から見た平面図
【図６】箱型水袋の整列例を浴槽の長辺側から見た透視図
【図７】箱型水袋の整列例を浴槽の給湯口短辺側から見た透視図
【図８】箱型水袋の整列例で形成された底面の凹凸状の分解斜視図
【図９】箱型水袋の整列例の湯水の対流を浴槽の上から見た平面解説図
【図１０】箱型水袋の整列例の湯水の対流を浴槽の長辺側から見た解説図
【図１１】取っ手用棒を用いた運搬用ベルトの使用例を箱型水袋の両側面から見た斜視図
【図１２】取っ手用棒を用いない運搬用ベルトの使用例解説図
【図１３】取っ手用棒を用いた運搬用受け皿の使用例斜視図
【符号の説明】
【００３４】  １、箱型水袋                    ２、箱型水袋小型
３、箱型水袋小型Ａ              ４、箱型水袋小型Ｂ
５、箱型水袋中型                ６、箱型水袋中型Ａ
７、箱型水袋中型Ｂ              ８、箱型水袋大型
９、箱型水袋小型厚型          １０、浴槽
１１、水面                      １２、天井面
１３、底面                      １４、蛇腹構造
１５、断熱材質                  １６、三角平面Ａ
１７、三角平面Ｂ                １８、受給水孔特大
１９、開閉蓋                    ２０、受給水孔大
２１、受給水孔中                ２２、受給水孔小
２３、保護蓋                    ２４、延長面Ａ
２５、延長面Ｂ                  ２６、延長面Ｃ
２７、辺Ａ                      ２８、辺Ｂ
２９、辺Ｃ                      ３０、辺Ｄ
３１、運搬用ベルトＡ            ３２、運搬用ベルトＢ
３３、ベルト穴Ａ                ３４、ベルト穴Ｂ
３５、ベルト穴Ｃ                ３６、ベルト穴Ｄ
３７、ベルト穴Ｅ                ３８、ベルト穴Ｆ
３９、ベルト穴Ｇ                ４０、ベルト穴Ｈ
４１、フックＡ                  ４２、フックＢ
４３、フックＣ                  ４４、フックＤ
４５、ベルト伸縮具Ａ            ４６、ベルト伸縮具Ｂ
４７、取っ手用棒                ４８、給湯口
４９、両ベルトを絡ませる形
５０、両ベルトで背負子の様に背負う形
５１、両ベルトを箱形水袋の両側面に分ける形
５２、両ベルトを十字に交差する形
５３、運搬用受け皿              ５４、運搬用受け皿金具Ａ
５５、運搬用受け皿金具Ｂ        ５６、運搬用受け皿金具Ｃ
５７、運搬用受け皿金具Ｄ
【図１】
2009160196.tif 000003
【図２】
2009160196.tif 000004
【図３】
2009160196.tif 000005
【図４】
2009160196.tif 000006
【図５】
2009160196.tif 000007
【図６】
2009160196.tif 000008
【図７】
2009160196.tif 000009
【図８】
2009160196.tif 000010
【図９】
2009160196.tif 000011
【図１０】
2009160196.tif 000012
【図１１】
2009160196.tif 000013
【図１２】
2009160196.tif 000014
【図１３】
2009160196.tif 000015